【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】    【請求項１】  小型可搬式筐体に、減圧発生装置と過減圧防止装置とが配備された減圧室において、該筐体は、体壁の互いに対向する位置に排気口と圧力調整弁付き吸気口とを有すると共に、該減圧発生装置は、減圧ポンプと圧力制御機構からなっており、該圧力制御機構が、該減圧ポンプに連結された該排気口と該吸気口とを介して、該吸気口から通常空気又は酸素濃度調整空気を連続的に吸入しつつ室内圧を常圧乃至５００ヘクトパスカルの範囲に制御する機能を備え、且つ、過減圧防止装置は、該室内圧力を５００ヘクトパスカル以下にならないよう維持する機能を有し、減圧室の大きさが０．２立方メートル以上２０立方メートル以下であることを特徴とする減圧室。    【請求項２】  圧力制御機構が、減圧速度及び又は復圧速度を毎分１００ヘクトパスカル以下とする手動式又は自動式制御機能を備える請求項１に記載の減圧室。    【請求項３】  減圧室に、停電時における酸欠防止用自動開放式ドア又は換気口を備える請求項１又は２の何れかに記載の減圧室。    【請求項４】  小型可搬式筐体とその補強板を、１０ｍｍ厚以下の金属又は非金属板材で構成し、且つ、移動中も減圧可能とする請求項１乃至３の何れかに記載の減圧室。    【請求項５】  安全確認用覗き窓を設け、且つ、室内を不燃、難燃、防音及び又は制振材料で内装すると共に、休養必要具を備える請求項１乃至４の何れかに記載の減圧室。    【請求項６】  吸気口に吸着、濾過用活性炭フィルター又はＨＥＰＡフィルターを備える請求項１乃至５の何れかに記載の減圧室。    【請求項７】  減圧室内に仕切りを設け、圧変動なく出入りできる予備的圧力調整室とする請求項１乃至６の何れかに記載の減圧室。【手続補正２】
【補正対象書類名】明細書
【補正対象項目名】発明の詳細な説明
【補正方法】変更
【補正の内容】
【発明の詳細な説明】【０００１】【技術分野】  近年、高地環境における人の生理的意義の研究が盛んになってきた。「高地」とは低圧、低酸素分圧環境であり、平地で１気圧のとき高度１８００ｍ、２４００ｍではそれぞれ０．８０気圧、０．７４気圧となる。１９９２年バルセロナオリンピックでは２０名、１９９６年アトランタオリンピックでは２５名の高地出身の選手が入賞し、また日本の多くのトップアスリートは年に何度も高地トレーニングを行ったり、高地に移り住んでトレーニングを続けている。このように「高地」や「高地トレーニング」は長距離種目やマラソンで成功するためのキーワードの一つとなっている。また日常的に運動しない人にとっても個人差はあるものの高地に滞在することにより、心肺機能をはじめとする生理機能の順応が起こり、平地と同一レベルの生活負荷であれば高地のほうが相対的に高い生活負荷となり、筋微小循環及び筋組織の酸素運搬能の向上などにより筋細胞内エネルギー代謝の効率化などの積極的効果が期待できる。本願はそのような高地トレーニングを行ったり、高地に滞在したりせずに、何時でも、何処でも、誰にでも、簡単且つ安全で、快適且つ便利で、しかも極めて安価な、高地気圧環境を現出するための減圧室に関するものである。【０００２】【背景技術】  従来、特公平２−４２９９２に運動用気密室、実開平２−１１８５７１にトレーニング用加減圧カプセル、また特開平８−１１２３７３においては疑似高地トレーニングを想定した減圧訓練施設、特開平１１−３３６３７３においては運動選手が長期滞在できる減圧施設、特許２９１９１１１号及び特開２０００−５４６６６号においては地下又は半地下に設置された運動用大規模減圧訓練施設、が提案されている。これらはいずれも運動することを前提とした提案であるが、そもそも運動というものは身体各部の筋力アップを効率的に達成するという側面があり、そのためには有酸素運動が必須条件であることはスポーツ医学の常識である。しかし、上述の提案による減圧環境下では酸素分圧が低く平地と比較して有酸素運動とは逆行する環境にあり身体各部の筋力アップを達成することは困難である。また、これらの提案による減圧施設は、いずれも固定式で運搬することができず、容積が大きいため減圧に時間が掛かり、圧力制御機構が複雑で装置を熟知した高度の専門技術を有する特定の人でなければ操作できず、しかも極めて高価なため、何時でも、何処でも、誰にでも、簡単且つ安全で、快適且つ便利で、しかも極めて安価な、高地気圧環境を現出することができないところにに大きな欠点があった。【０００３】  特開昭６１−２９３４６０には、疾病予防又は治療用の気圧コントロールカプセル室が提案されているが、疾病予防又は治療用途であり、また発明の詳細な説明には、そのカプセル室内を疾病に対して最も適した圧力とし、その中に入って生活することにより、リュウマチ、喘息などの天候や季節の変化に伴う気圧変動に影響を受ける疾病の予防又は治療に効果があるとしているが、室内の圧力のコントロールに関する具体的態様、該室内滞在者の減圧環境下での定常使用時の安全性或いは緊急時の安全対策に関する具体的態様、該室内で長期間生活するための快適性或いは利便性に関する具体的態様、或いは該減圧室を極めて安価に製作するための具体的態様について一切言及されていない。【０００４】  一方、人の健康に関する世の中のニーズを反映して、健康食品や健康ドリンクなどがもてはやされているが、それらは一時的には何らかの効果があっても自らの体力や健康が基本的に強化されるものではない。【０００５】  また健康維持のため、ウォーキング、ジョギング、エアロビクス或いはスポーツジムでの体力トレーニングなども盛んであるが、かなりの運動を伴うため、何らかの理由で十分に運動できない人、例えば、高齢で体力がない、手足の障害がある、運動嫌い、極端な肥満、等の人にとって容易に受け入れられるものではない。【０００６】【発明の開示】【発明が解決しようとする課題】  本発明は、従来の技術的欠点すなわち減圧室が固定式で運搬することができず、容積が大きいため減圧に時間が掛かり、圧力制御機構が複雑で装置を熟知した高度の専門技術を有する特定の人でなければ操作できず、しかも極めて高価なため、何時でも、何処でも、誰にでも簡単且つ安全に、快適且つ便利に、しかも極めて安価に利用できなかった、という欠点を解決するものであり、何時でも、何処でも、誰にでも、簡単且つ安全で、快適且つ便利で、極めて安価に利用できる減圧室を提供することにある。【０００７】【課題を解決するための手段】  減圧室を、スポーツ或いは疾病治療のような特定の分野だけではなく、広く一般の人が利用し易くするには、可搬性の確保、易操作性の確保、減圧室内での酸欠事故及び火災事故の防止、閉所不安感の解消などの安全、安心はもとより、該減圧室滞在者の快適さと利便性、さらには購入時の価格低廉化についても十分に留意しなければならない。【０００８】  本発明は、上記課題を解決するために、請求項１の発明は、小型可搬式筐体に、減圧発生装置と過減圧防止装置とが配備された減圧室において、該筐体は、体壁の互いに対向する位置に排気口と圧力調整弁付き吸気口とを有すると共に、該減圧発生装置は、減圧ポンプと圧力制御機構からなっており、該圧力制御機構が、該減圧ポンプに連結された該排気口と該吸気口とを介して、該吸気口から通常空気又は酸素濃度調整空気を連続的に吸入しつつ室内圧を常圧乃至５００ヘクトパスカルの範囲に制御する機能を備え、且つ、過減圧防止装置は、該室内圧力を５００ヘクトパスカル以下にならないよう維持する機能を有し、減圧室の大きさが０．２立方メートル以上２０立方メートル以下の減圧室であることを特徴とする。【０００９】  請求項２の発明は、圧力制御機構が、減圧速度及び又は復圧速度を毎分１００ヘクトパスカル以下とする手動式又は自動式制御機能を備える減圧室であることを特徴とする。【００１０】  請求項３の発明は、減圧室に、停電時における酸欠防止用自動開放式ドア又は換気口を備える請求項１又は２の何れかに記載の減圧室であることを特徴とする。【００１１】  請求項４の発明は、小型可搬式筐体とその補強板を、１０ｍｍ厚以下の金属又は非金属板材で構成し、且つ、移動中も減圧可能とする請求項１乃至３の何れかに記載の減圧室であることを特徴とする。【００１２】  請求項５の発明は、安全確認用覗き窓を設け、且つ、室内を不燃、難燃、防音及び又は制振材料で内装すると共に、休養必要具を備える請求項１乃至４の何れかに記載の減圧室であることを特徴とする。【００１３】  請求項６の発明は、吸気口に吸着、濾過用活性炭フィルター又はＨＥＰＡフィルターを備える請求項１乃至５の何れかに記載の減圧室であることを特徴とする。【００１４】  請求項７の発明は、減圧室内に仕切りを設け、圧変動なく出入りできる予備的圧力調整室とする請求項１乃至６の何れかに記載の減圧室であることを特徴とする。【００１５】  本発明の減圧室は、小型可搬式筐体に、減圧発生装置と過減圧防止装置とが配備された減圧室において、該筐体は、体壁の互いに対向する位置に排気口と圧力調整弁付き吸気口とを有すると共に、該減圧発生装置は、減圧ポンプと圧力制御機構からなっており、該圧力制御機構が、該減圧ポンプに連結された該排気口と該吸気口とを介して、該吸気口から通常空気又は酸素濃度調整空気を連続的に吸入しつつ室内圧を常圧乃至５００ヘクトパスカルの範囲に制御する機能を備え、且つ、減圧速度及び又は復圧速度を毎分１００ヘクトパスカル以下とする手動式又は自動式制御機能を備え、且つ、過減圧防止装置は、該室内圧力を５００ヘクトパスカル以下にならないよう維持する機能を有し、減圧室の大きさが０．２立方メートル以上２０立方メートル以下であり、且つ、停電時における酸欠防止用自動開放式ドア又は換気口を備える減圧室であることを特徴とする。【００１６】  また、本発明の減圧室は、小型可搬式筐体とその補強板を、１０ｍｍ厚以下の金属又は非金属板材で構成し、且つ、該室を移動中も減圧可能であり、且つ、該室に安全確認用覗き窓を設け、且つ、室内を不燃、難燃、防音及び又は制振材料で内装すると共に、休養必要具を備え、且つ、吸気口に吸着、濾過用活性炭フィルター又はＨＥＰＡフィルターを備え、且つ、減圧室内に仕切りを設け、圧変動なく出入りできる予備的圧力調整室とする減圧室であることを特徴とする。【００１７】  本発明の減圧室に備えられる減圧発生装置の減圧ポンプは、真空ポンプ、アスピレーター、ルーツブロワーなどの５００ｈＰａ以下の圧力を発生できる装置であればよいが、該減圧発生装置の排気速度が遅すぎると該減圧室を所定の圧力に到達せしめるための時間が長くなり、逆に排気速度が速すぎると該減圧室の減圧速度が速すぎるために該減圧室の滞在者に違和感を与えるので、該減圧室の大きさに応じて適切な排気速度に調節できる減圧発生装置を選択することが好ましい。【００１８】  実施例では、オリオン機械（株）製ＫＲＳ３−ＳＳ−４００２−Ｇ１を使用した。また、該減圧室の滞在者の安全を考慮して、該減圧発生装置の減圧能力は、到達圧力が５００ｈＰａより低くならない程度の能力であることが好ましく、５５０ｈＰａより低くならない程度の能力であることがより好ましい。【００１９】  減圧室の圧力の下限について述べる。人の減圧下での耐性は、高山における滞在実績によって確認されている。高度と気圧の関係は次の通りである。即ち高度２０００ｍで７８０ｈＰａ、３０００ｍで６９０ｈＰａ、５０００ｍで５４０ｈＰａ、７０００ｍで４００ｈＰａである。通常、２０００乃至３０００ｍくらいの高山における酸素濃���下においては特に訓練した人でなくても身体に備わった低酸素に対する防御機能によって適応でき、また人によって多少の違いはあるが、それ以上の高度でも、呼吸、循環機能亢進などによる身体の防御機能によってかなりの高度まで適応できる。【００２０】  しかし、さらに高度が上がると酸素不足による身体の機能障害が出始める。高度７０００ｍ（４００ｈＰａ）程度になれば、たとえ相当の訓練をした人であっても酸素ボンベ等からの酸素の供給が必要となる。従って、該減圧室の滞在者の安全を考慮して、本願発明の圧力の下限、即ちそれ以下の圧力にならないように該減圧室に設けられた過減圧防止装置が作動する圧力は５００ｈＰａであるが、さらに安全を考慮すれば５５０ｈＰａが好ましく、６００ｈＰａがより好ましい。【００２１】【発明を実施するための最良の形態】【実施例１】  図１乃至図６は本発明を適用した円筒横型減圧室の具体的態様を示す。図１は減圧室の立面断面図、図２は右側面図、図３は左側面図、図４は平面図、図５はＡ−Ａ断面図、図６は配管系統図をそれぞれ示す。この減圧室は、高地における気圧環境を現出するための装置であり、図１及び図４においては、減圧室１の筐体２の両端部にそれぞれ鏡板４を緊結した横型円筒状の容器で、該鏡板４に設けた鏡板開口部６に、周囲にパッキン８を配してなる気密扉７により密閉構造をなす。気密扉７は外側より装着するものであり、気密扉の形式は室の外側に向かって開く片開きタイプ及び該鏡板４と平行にスライドして開くスライドタイプとがある。【００２２】  図２及び図３は、減圧室１の右側面図及び左側面図であり、鏡版４の鏡板開口部６に配される気密扉７の気密扉開口部１０には透明塩ビ板１１が配され該減圧室１の内側から室外を容易に見渡すことができる。【００２３】  図５は、減圧室の円筒方向の断面構造を説明する図であり、円筒状の筐体２の内側にはドーナッツ状で鋼板製の筐体リブ３が適宜緊結される。床面となる部分には床板支持材２１の上に床板２０が張られ、腰、壁及び天井部分には内装材２３が張られ、筐体２と床板２０或いは内装材２３との間には保温断熱材２２が挿入される。【００２４】  図６は、減圧室の配管系統を説明する図であり、減圧ポンプ４６の吸入口４７は減圧室１の排気口４９と配管で連結されており減圧ポンプ４６を起動すると減圧開始する。また該減圧室１の排気口４９と対抗する位置に取り付けられた吸気口５０乃至５４には手動圧力調整弁５５、自動圧力調整弁５７、自動過減圧防止弁５８、室内非常弁５９、室外非常弁６０がそれぞれ配される。該吸入口５０乃至５４はＨＥＰＡフィルター６２と配管で接続され該ＨＥＰＡフィルター６２は予備フィルター６９、活性炭フィルター６１及びフード６８と接続し、該減圧室１内に吸入する外気に含まれる有機溶媒並びに粉塵や細菌類を濾過することができる。【００２５】  また、吸気口５０には手動圧力調整弁５５が、吸気口５１には自動圧力調整弁５７がそれぞれ取り付けられ、該手動圧力調整弁５５又は自動圧力調整弁５７で生ずる圧力損失を調節することによって該減圧室の圧力を５００ｈＰａ乃至常圧の範囲の所望の圧力に制御するが、減圧室の圧力が何らかの異常により５００ｈｐａ以下に低下した���合には、該減圧室１に取り付けてある圧力センサー５６が作動し該圧力センサー５６と電気的に連動する機構によってなる自動過減圧防止弁５８から外気を吸入することによって過減圧を防止せしめることができる。なお、該圧力センサー５６は必ず減圧室１の室外取付とし圧力センサー５６と減圧室１とは導圧管（図示せず）で連結する機能によってなる。【００２６】  さらに、減圧室の圧力制御に関する具体的態様を説明する。本発明の減圧室を使用するにあたっては三つの圧力制御行程がある。先ず第一は減圧室に人が入室して常圧から所望の圧力まで徐々に圧力を低下せしめる減圧行程である。第二は減圧室を所望の圧力まで低下せしめた後、一定時間一定圧力を保持する圧力保持行程である。第三は所望の圧力まで低下せしめた減圧室の圧力を常圧まで戻す復圧行程である。【００２７】  この圧力制御については二つの圧力制御法がある。一つは手動による圧力制御法であり、もう一つは自動による圧力制御法である。先ず、手動による圧力制御法について説明する。減圧室１の圧力を手動によって制御する場合には該減圧室１の減圧ポンプ４６を起動し携帯型高度計（図示せず）を見ながら該減圧室１に設置してある手動圧力調整弁５５の開度を調整することによって行う。【００２８】  次に、自動による圧力制御法について説明する。減圧室１の圧力を自動によって制御する場合には該減圧室１のコンピューター自動圧力制御プログラムを起動させる。このコンピューター自動圧力制御プログラムは圧力センサー５６、自動圧力調整弁５７及びコンピューター自動圧力制御プログラム（図示せず）で構成しコンピューター圧力制御プログラムを起動すると自動的に減圧ポンプ４６が起動し予め圧力制御プログラムに設定されている圧力・時間曲線に沿って所望の減圧速度で所望の圧力まで該減圧室１の圧力を低下せしめる機能によってなる。先ず、減圧室１を一定の減圧速度で減圧せしめる減圧行程ではプログラム起動直後は該減圧室１の圧力と室外の圧力との差が小さいので自動圧力調整弁５７の開度は大きくなるが、該減圧室１の圧力が所望の圧力に近づくに従って該減圧室１の圧力と室外の圧力との差が大きくなり該自動圧力調整弁５７から吸入する外気量が増大するので該自動圧力調整弁５７の開度は自動的に小さくなり外気の吸入量を制限できる機能によってなる。【００２９】  次いで、コンピューター自動圧力制御法における圧力保持行程について説明する。減圧室１の圧力を減圧行程で所望の圧力まで到達せしめた後、一定圧力で保持する場合にも自動圧力制御プログラムは作動している。すなわち、減圧室１の圧力は室外の空気が自動圧力調整弁５７を通して該減圧室１に吸入するときの圧力損失を制御することによって決定されるので例えば気圧が低下すれば空気密度が小さくなり自動圧力調整弁５７を通過するときの圧力損失は小さくなる。また、室外の気温が低下すれば空気密度が大きくなり自動圧力調整弁５７を通過するときの圧力損失も大きくなるので、常に自動圧力制御プログラムは作動し減圧室１の圧力を一定圧力に保持する機能によってなる。【００３０】  次いで、自動圧力制御法における復圧行程について説明する。減圧室１の圧力を一定時間保持した後、常圧まで戻す復圧行程において、例えば一定速度で復圧する場合には減圧ポンプ４６が停止し自動圧力調節弁５７の開度は復圧開始直後は小さく、減圧室１の圧力が常圧に近づくに従って大きくなる機能によってなる。これは上述のように減圧室内外の圧力差の大小によって該自動圧力調整弁５７から吸入するときの圧力損失が変化するためである。【００３１】  次に、減圧室を常圧から所望の圧力まで減圧するときの最適減圧速度及び所望の圧力まで減圧した減圧室の圧力を常圧まで戻すときの最適復圧速度について説明する。本発明の減圧室に滞在する人が不快感なくしかも安全に所望の圧力まで減圧するための最適な減圧速度が存在することを発見した。また同様に所望の圧力まで減圧した減圧室の圧力を常圧まで戻すための最適復圧速度が存在することについても発見した。すなわち、最適減圧速度及び最適復圧速度は毎分８００ｈＰａ以下が好ましく、より好ましくは毎分２００ｈＰａ以下であり、さらに好ましくは毎分１００ｈＰａ以下である。【００３２】  図７は、減圧室の構造を説明する断面構造図であり、円筒状の筐体２には上述の如く筐体リブ３が適宜配され、筐体２の両端部に緊結した鏡板４には鏡板リブ５が格子状に配され低圧がもたらす外圧に耐え得る構造によってなる。【００３３】  図８は、減圧室の構造を説明する側面構造図であり、筐体２の両端に緊結した鏡板４には上述の鏡板リブ５が点線で示す如く配され鏡板４と緊結される。同様に気密扉７にも格子状のリブ（図示せず）が配され低圧がもたらす外圧に耐え得る構造をとっている。【００３４】  図９は、減圧室の構造を説明する部分拡大図であり、筐体２と筐体リブ３とは溶接により緊結し、鏡板４と鏡板リブ５とは同様に溶接により緊結される。鏡板４に設けられた鏡板開口部６は周囲にパッキン８を配してなる気密扉７が後述の手段により該鏡板４と密着し気密を保持する構造によってなる。【００３５】  図１０乃至図１３は、予備的圧力調整室付き減圧室の具体的態様を説明する立面断面図、右側面図、左側面図、並びに平面図であり、筐体２の中間には筐体２と緊結し気密する機能によってなる仕切板８１が配され筐体２は減圧室１及び予備的圧力調整室７８に仕切られる。筐体２の両端部に緊結した鏡板４及び鏡板１５３の鏡板開口部６及び鏡板開口部１５４には上述と同様に周囲にパッキン８を配してなる気密扉７及び気密扉１５５によりそれぞれ密閉構造をなす。減圧室１が常圧の時には気密扉７を開けて入室し、該減圧室１が減圧中の時には気密扉１５５を開けて予備的圧力調整室７８に入り該気密扉１５５を閉じて減圧ポンプ１０９を起動し該予備的圧力調整室７８の圧力を該減圧室１と同じ圧力に調整してから該気密扉８４を開け該減圧室１に入室する機能によってなる。【００３６】  また、減圧室１の入室者の一人が減圧中の該減圧室１から室外に退出する場合には、予備的圧力調整室７８の減圧ポンプ１０９を起動し該予備的圧力調整室７８の圧力を該減圧室１と同じ圧力に調整してから気密扉８４を開き該減圧室１から該予備的圧力調整室７８に移動し該気密扉８４を閉じた後で該予備的圧力調整室７８の圧力を大気圧に戻し該予備的圧力調整室７８の気密扉１５５を開き該予備的圧力調整室７８から室外に退出する機能によってなる。【００３７】  図１４は、予備的圧力調整室７８の配管系統を説明する図であるが、減圧室１の配管系統を説明する図６と同じ機能によってなるので説明は割愛する。【００３８】  図１５は、Ａ社製減圧室の構造を説明する断面構造図である。減圧室は筐体１３５とその両断部に緊結した鏡板１３６及び鏡板１３７による一体構造で気密構造をなし、筐体の中間部を隔壁１３８及び隔壁１３９並びに補強材１４０によってなる大断面構造材料によって主室１３３及び副室１３４とに仕切り、該筐体１３５、鏡板１３６及び鏡板１３７、隔壁１３８及び隔壁１３９並びに補強材１４０の何れも厚さ数十ｍｍの分厚い鋼板製によってなる。【００３９】  図１６は、一般的な減圧室の窓部構造を説明する図である。筐体１３５の開口部に分厚い鋼鉄製の補強フランジ１４７を緊結し該補強フランジ１４７の溝に挿入したＯリング１４８を介してガラス板１４９，緩衝材１５０，フランジ１５１の順に重ねこれらを六角ボルト１５２で緊結し気密する機能によってなり、これらを構成する部品類は高い機械精度を必要とするためコストアップを避けられない。【００４０】  図１７は、本発明の減圧室の窓部構造を説明する図である。鏡版４の開口部には直接透明塩ビ板１１及び額縁１２を重ね合わせ透明塩ビ板１１と鏡板４との間には液状封止剤（図示せず）を塗布し気密をなす。さらに六角ボルト１４のねじ部にも液状封止剤（図示せず）を塗布し額縁１２、透明塩ビ板１１及び鏡板４とをしっかり緊結する。さらに該鏡板４の内側に飛び出た該六角ボルト１４のボルト先端部にも液状封止剤（図示せず）を塗布し、さらに透明塩ビ板１１と鏡板４とによってなす内外の接触部にも液状封止剤１３を隅肉状に塗布し気密する機能によってなる。このように窓部を構成する透明塩ビ板１１及び額縁１２は何れも薄板であるため、外圧に耐え得る強度を有しつつも柔軟性があるため積層面を切削加工するほどの寸法精度を必要とせず、きわめて簡便かつ安価に気密構造が得られることを特徴とする。【００４１】  次に、本発明の減圧室の安全対策の具体的態様について説明する。減圧室使用時に、不意の所用や該減圧室を設置している場所付近での外部火災発生等により該減圧室から緊急脱出する必要が生じたときには、該減圧室に設置してある室内非常弁５９を開けると該減圧室の圧力を１５０秒以内で大気圧まで到達せしめることができ気密扉７を開け入室者は該減圧室の外に極めて短時間で脱出できることを特徴とする。【００４２】  またさらに、気密扉７や鏡板４に取り付けてある透明塩ビ板１１製の窓（鏡板４に取り付けてある窓は図示しない）から外部の人が該減圧室の滞在者の異常を発見したときには、室外非常弁６０を開けると上述と同様に該減圧室１の圧力を１５０秒以内で大気圧まで到達せしめることができ該減圧室の滞在者を極めて短時間で収容することができる。ここで、室内非常弁５９及び室外非常弁６０は緊急時に瞬時に全開する必要性からボール弁又はコック弁或いはバタフライ弁が好ましいが瞬時に全開できる弁であれば必ずしもこれに限るものではない。このように短時間で減圧室の圧力を大気圧まで到達せしめることを可能にしたのは該減圧室の全容積が小さいためである。【００４３】  これに対して全容積が大きい減圧室の場合にはそれに比例したバルブを備えれば短時間で大気圧まで到達せしめることはできるが、大量の空気が減圧室に流入すると風速の影響や騒音が発生し減圧室の居住環境が著しく低下する。Ｂ大学の低圧シミュレーターは全容積が約５０立方メートルあり減圧状態から大気圧まで到達せしめるための時間が約２０分を要することはこれを裏付けるものである。よって減圧室の全容積は０．２立方メートル以上２０立方メートル以下が好ましく、さらには１０立方メートル以下であることがより好ましい。【００４４】  図１８乃至図２５に本発明の減圧室の酸欠防止の具体的態様を示す。減圧室は動力源に電気を使用しており例えば減圧中の停電時にもフード６８、活性炭フィルター６１及び予備フィルター６９と順次接続してなるＨＥＰＡフィルター６２の通気口６３乃至６７と配管で接続される該減圧室１の通気口５０乃至５４のうち手動圧力調整弁５５又は自動圧力調整弁５７の何れかから該減圧室１の圧力に応じて外気が自然吸入される。また停電により停止した減圧ポンプ４６が該減圧室１の圧力に応じて逆転することによってポンプ吸気口４７と配管で接続される該減圧室１の通気口４９を通して大気が自然吸入される。さらに、これらの作用により該減圧室１の圧力が大気圧に到達すると気密扉７が自動的に開放し該減圧室１を自然換気せしめ酸欠防止する安全機構によってなる。【００４５】  図１８及び図１９は、本発明の減圧室の安全機構の一つである自動開放式気密扉実施例１（ファスナーロック式）を示す。気密扉７はエアシリンダー２８駆動により左右にスライド動作する機能によってなる。減圧室１を減圧する場合にはエアシリンダー２８で気密扉７を鏡板４の鏡板開口部６までスライドさせ、ファスナー３９を手動操作して扉７の周囲に取り付けてあるパッキン８で鏡板４の鏡板開口部６を密閉する。こうして密閉した後、減圧開始すると扉７に掛かる外気圧で扉７と鏡板４で挟まれたパッキン８が徐々に圧縮されファスナー３９の締め付け力が緩み、ファスナー３９内蔵のバネ（図示せず）でファスナー３９のロックが自動的に解除される。この減圧状態から大気圧へ戻していくと扉７に掛かる外気圧が徐々に減少し、大気圧に到達すると気密扉７を鏡板開口部６に押しつける力がついには無負荷となり、鏡板４に密着していた気密扉７はパッキン８の復元力と気密扉７の自重により自動的に鏡板４から離脱する。停電の場合には減圧ポンプ４６が停止し外気の自然吸入により該減圧室１の圧力が徐々に大気圧に戻るが、上述と同様に大気圧に戻ると該気密扉７はパッキン８の復元力と該気密扉７の自重により自動的に鏡板４から離脱する。【００４６】  この時、図１９に示す空気圧回路も停電により無電圧状態となり、方向切換弁７３は無電圧位置に自動的に復帰するので、上述の如く外気の自然吸入により該減圧室１の圧力が大気圧に戻ると該気密扉７はパッキン８の復元力と該気密扉７の自重により鏡板４の鏡板開口部６から自動的に離脱しエアシリンダー２８駆動により自動的にスライドして、鏡板４の鏡板開口部６は全開状態となる。図２０に示す空気圧回路はスライド式気密扉の駆動方法を示したもので、無電圧状態で気密扉７はつねに���板４の鏡板開口部６が全開する位置まで自動的に移動するようになっている。該気密扉７を左右にスライド動作させるには、（電磁式）方向切換弁７３の電磁部に電圧を印加あるいは無印加すればよく、停電時には該減圧室１に内蔵するエアコンプレッサー（図示せず）も停止するが、エアコンプレッサーのエアタンク（図示せず）には残圧があり、エアコンプレッサーが停止状態になっても自動開放式気密扉７のスライド動作は正常に機能することができる。【００４７】  図２０及び図２１に本発明の減圧室の安全機構の一つである自動開放式気密扉実施例２（エアシリンダーロック式）を示す。この気密扉７はエアシリンダー２８駆動により左右にスライド動作する。減圧する場合にはエアシリンダー２８で該気密扉７を鏡板４の鏡板開口部６までスライドさせ、エアシリンダー３５を自動操作して気密扉７の周囲に配してなるパッキン８で鏡板４の鏡板開口部６を密閉する。こうして密閉した後、減圧開始すると気密扉７に掛かる外気圧で該気密扉７と鏡板４で挟まれたパッキン８が徐々に圧縮され所望の圧力に到達したときにエアシリンダー３５の締め付け力が自動的に緩み、該気密扉７のロックが自動的に解除される機能によってなる。【００４８】  また減圧室を減圧状態から大気圧へ戻していくと該気密扉７に掛かる外気圧が徐々に減少し、減圧室の圧力が大気圧に到達するとついには無負荷となり、鏡板４に密着していた気密扉７はパッキン８の復元力と該気密扉７の自重により自動的に鏡板４から離脱する。停電の場合には減圧ポンプ４６が停止し外気の自然吸入により該減圧室の圧力が徐々に大気圧に戻るが、上述と同様に大気圧に戻った時に該気密扉７はパッキン８の復元力と該気密扉７の自重により自動的に鏡板４から離脱する機能によってなる。【００４９】  この減圧操作では該気密扉７に掛かる外気圧でパッキン８が圧縮され該気密扉７と鏡板４との間を密閉するが、該気密扉７に大きな圧力が掛かるため該パッキン８が変形し、元の形に復元するまでに時間の掛かることがある。これは該パッキン８が過度に変形してしまったためであるが、該パッキン８が過度に変形することを防止するため該気密扉７と該鏡板４との間の該鏡板４側又は該気密扉７側にスペーサー９が取り付けられる。こうすると、該気密扉７に掛かる圧力でパッキン８が圧縮変形しても該気密扉７と鏡板４とがスペーサー９で一定の間隔を保持できるため該パッキン８が過度に変形することを防止できる。これによって、短時間に何度も加減圧操作を繰り返しても減圧室１の気密状態を維持することが可能となった。【００５０】  この時、図２１に示す空気圧回路の無電圧動作により気密扉７はつねに鏡板４の鏡板開口部６が全開する位置まで自動的に移動するようになっている。該気密扉７を左右にスライド動作させるには、（電磁式）方向切換弁７３と方向切換弁７４の電磁部に電圧を印加或いは無印加すればよく、例えば、該気密扉７を閉じるときには先ず方向切換弁７３の電磁部に電圧を印加してエアシリンダー２８の押し力で鏡板４の鏡板開口部６まで該気密扉７をスライド動作させ、しかる後に方向切換弁７４の電磁部に電圧を印加してエアシリンダー３５の押し力で該気密扉７を鏡板４の鏡板開口部６に押し��ければ密閉することができる。また反対に、方向切換弁７３及び方向切換弁７４の電磁部が無印加状態になるとエアシリンダー３５の空気圧が解除され該エアシリンダー３５に内蔵しているスプリングの力によってシリンダーロッドが引き戻されて気密扉７に対する押し付け力は解除される。【００５１】  次いで、エアシリンダー２８の方向切換弁７３が電圧無印加位置（ノーマルポジション）にあるため、既に該エアシリンダー２８のシリンダーロッドには該気密扉７を引き戻そうとする力が作用しているため、エアシリンダー３５の押し付け力が解除されると同時に該気密扉７がスライド動作を開始して全開することができる。尚、停電時には該減圧室１に内蔵のエアコンプレッサー（図示せず）も停止するが、エアコンプレッサーのエアタンク（図示せず）には残圧があり、エアコンプレッサーが停止状態になっても自動開放式の気密扉７は正常に機能することができる。【００５２】  図２２は、本発明の減圧室の安全機構の一つである自動開放式気密扉実施例３（ファスナーロック・スプリング開放式）を示す。気密扉７は手動操作により開閉する扉であるが、該気密扉７を閉じる場合には減圧室１の内側から手動により該気密扉７を鏡板４の鏡板開口部６側に引き寄せ、鏡板４の鏡板開口部６に取り付けてあるファスナー３９のフック部を該気密扉７の内側に取り付けてある受け金具４０に引っ掛けて該ファスナー３９のレバーを引き側に操作すると該ファスナー３９のトグル機構により大きな締め付け力を発生し、該気密扉７の周囲に取り付けてあるパッキン８により該気密扉７と鏡板開口部６とを密閉することができる。【００５３】  こうして該減圧室１を密閉した後、減圧ポンプ４６を起動して減圧を開始すると該気密扉７に掛かる外気圧で該気密扉７と該鏡板４で挟まれたパッキン８が徐々に圧縮変形し、所定の圧縮量に達した時にファスナー３９のレバーが自動的に解除される。該減圧室１をこのような減圧状態から大気圧へ戻していくと該気密扉７に掛かる外気圧が徐々に減少し、ついには無負荷となり、該鏡板４に密着していた該気密扉７は該気密扉７に取り付けてあるスプリング４２の反発力により自動的に該鏡板４から離脱し、該鏡板４と該気密扉７との間には該減圧室１を自然換気するに十分な隙間ができ、濃度拡散や対流により自然換気する機能によってなる。【００５４】  図２３は、本発明の減圧室の安全機構の一つである自動開放式気密扉実施例４（ファスナーロック・スポンジスプリング開放式）を示す。気密扉７は手動操作により開閉する扉であるが、該気密扉７を閉じる場合には減圧室１の内側から手動により該気密扉７を鏡板４の鏡板開口部６側に引き寄せ、該鏡板４の該鏡板開口部６に取り付けてあるファスナー３９のフック部を該気密扉７の内面に取り付けてある受け金具４０に引っ掛けて該ファスナー３９のレバーを引き側に操作するとトグル機構により大きな締め付け力を発生し、該気密扉７に取り付けてあるパッキン８は鏡板４との間で圧縮変形しながら密閉することができる。【００５５】  該減圧室１をこうして密閉した後、減圧ポンプ４６を起動して減圧開始すると該気密扉７に掛かる外気圧で該気密扉７と該鏡板４で挟まれたパッキン８が徐々に圧縮変形し、���定の圧縮量に達した時に該ファスナー３９のレバーが自動的に解除される。該減圧室１をこのような減圧状態から大気圧へ戻していくと該気密扉７に掛かる外気圧が徐々に減少し、ついには無負荷となり、該鏡板４に密着していた該気密扉７は該気密扉７の周囲に取り付けてあるパッキン８の復元力により自動的に該鏡板４の鏡板開口部６から離脱する。これによって該鏡板４と該気密扉７との間には該減圧室１を自然換気するに十分な隙間ができ、濃度拡散や対流による自然換気する機能によってなる。【００５６】  図２４は、本発明の減圧室の安全機構の一つである自動開放式通気機構を示す。この通気機構は減圧状態における停電時や緊急時に作動し、減圧室に外気を急速に供給したり或いは自然換気する場合に機能する。該通気機構は周囲にパッキン１８を配してなる通気口蓋１７を鏡板４に緊結した取付金具１６に緊結したエアシリンダー１５のロッド先端に緊結し、該エアシリンダー１５の推力で鏡板４の開口部に押し付け密閉する機能によってなる。【００５７】  該通気機構の取付方向としては、該減圧室１の内側に取り付ける方法と、該減圧室１の外側に取り付ける方法とがある。該減圧室１の内側に取り付ければ、停電時にはエアシリンダー１５の空気加圧が自動的に解除されるため、通気機構が直ちに動作して急速に大気圧に戻る。この逆に該減圧室１の外側に取り付けると該減圧室の圧力が大気圧に戻ってからエアシリンダー１５内蔵のスプリング力で通気口が開放される。該自動開放式通気機構は鏡板４の片側上下２カ所或いは鏡板４の片側上部１カ所と反対側の鏡板４の下部１カ所にあれば十分機能するが、実施例では外気と接する両端の鏡板４のそれぞれ上下１カ所に設けることによって、安全性を飛躍的に向上せしめた。【００５８】  図２５は、上述の自動開放式通気機構の空気圧回路を説明する図であり自動開放式通気機構を４台同時に動作させるものである。停電時には、方向切換弁７５の電磁部電圧が無印加状態となりエアシリンダー１５に掛かっていた空気圧は方向切換弁７５から自動的に大気排出される。これによってエアシリンダー１５は大気圧となるため、エアシリンダー１５に内蔵のスプリング力でシリンダーロッドは自動的に引き戻され通気口は開放状態となる。【００５９】【実施例２】  図２６乃至図２８に本発明を適用した箱形減圧室の具体的態様を示す。図２６は減圧室の立面断面図及び配管系統図、図２７は右側面図、図２８は平面図をそれぞれ示す。図２６及び図２８において、減圧室１５６は基本筐体１５７と任意の個数の延長用筐体１５８並びに気密扉１５９で構成し、基本筐体１５７と延長用筐体１５８との連結部にはパッキン１８２が、延長用筐体１５８と気密扉１５９との連結部にはパッキン１８３がそれぞれ配され該減圧室１５６の気密が保持される。図２６に示す基本筐体１５７の内法は幅８００ｍｍ、奥行き９００ｍｍ、高さ１６００ｍｍあり、基本筐体１５７に気密扉１５９を取り付けただけで立ち居型家庭用サウナと同規模の減圧室となすことが可能である。また、延長用筐体１５８を接続することにより任意の規模の減圧室となすことも可能である。なお、配管系統については円筒横型減圧室と同様の機能によってなるので詳細説明は割��する。【００６０】  この箱形減圧室１５６は、上述のように基本筐体１５７と任意の個数の延長用筐体１５８並びに気密扉１５９で構成しているため容易に分解並びに運搬が可能である。例えば高層住宅のような場合でも容易に分解できるため室内容積に限度のあるエレベーターでも容易に積載でき、また通路や入り口ドアの狭い住宅でも容易に室内搬入できるので、設置場所を選ばずしかも任意の規模の減圧室を得られることが最大の特徴である。なお、当然のことながら該減圧室には任意の個数の窓を取付可能であるがその具体的態様は円筒横型減圧室と同様の機能によってなるので詳細説明は割愛する。【００６１】  次に、減圧室の製作コスト縮減方法について説明する。図７乃至図９は本発明の円筒横型減圧室に関する製作コスト縮減方法を説明する図である。本発明において、画期的ともいえる大幅な製作コスト縮減を達成し得たのは、減圧室の構造的特徴に由来するものである。すなわち本発明の円筒横型減圧室の実施例においては、構造を横型円筒状平鏡板構造によってなし、筐体２の直径及び長さをそれぞれ１８００ｍｍ、２４００ｍｍとした。従来、この規模の減圧室（外圧を受ける容器）を製作する場合には厚さ２０ｍｍ超もある分厚い鋼板製の円筒状筐体及び同様の厚さの鋼板製皿形鏡板によって構成することが一般的通念であった。【００６２】  この円筒横型減圧室の実施例においては、外圧を受ける容器の常識を越えた厚さ２．３ｍｍもの薄肉鋼板を使用し、円筒状筐体２に掛かる外圧に対しては円筒状筐体２の軸方向内周に効果的に筐体リブ３を３００乃至５００ｍｍ間隔で筐体２に緊結した。また、平面状の鏡板部４には２００乃至３００ｍｍ間隔で高さ２００乃至３００ｍｍの格子状の鏡板リブ５を緊結した。また、気密扉７も平面状の鏡板４と同様に格子状のリブ構造によってなした。円筒横型減圧室における製作コストは全容積９立方メートルで約１０００万円であった。【００６３】  つづいて、本発明の箱形減圧室のコスト縮減方法について説明する。上述の円筒横型減圧室と同様に画期的ともいえる大幅なコスト縮減を達成し得たのは、減圧室の構造的特徴に由来するものである。すなわち本発明の箱形減圧室の実施例においては、上述の円筒横型減圧室の平面状の鏡板部と同様に外圧を受ける容器の常識を越えた厚さ２．３ｍｍもの薄肉鋼板を使用し２００乃至３００ｍｍ間隔で高さ１００乃至１５０ｍｍの格子状のリブ１８４を配したが、基本筐体１５７及び延長用筐体１５８のそれぞれ角部近傍では角部から一定距離の範囲でリブ数量を減じた。これは角部構造自体に十分な機械的強度があり角部自体をリブと見なしたからである。気密扉１５９も基本筐体１５７及び延長用筐体１５８と同様のリブ構造によってなした。この箱形減圧室における製作コストは全容積２．６立方メートルで約３５０万円であったが、減圧室のコスト縮減方法は実施例に示す薄肉鋼板製円筒横型構造や同様の薄肉鋼板製箱形構造に必ずしも限定されるものではない。射出成形法、遠心成形法やＦＲＰ等、あらゆる製作方法を包含するものである。【００６４】  また、本発明の減圧室を構成する機器の電気容量は、円筒横型減圧室及び箱形減圧室何れの場合でも、減圧ポンプ、エアコンプレッサー���制御系統それぞれが５５０Ｗ、２００Ｗ、５０Ｗで合計８００Ｗである。この容量は家庭用電気ポットの電気容量にも満たない小容量のものであり、家庭用電源のある場所なら何処でも使用可能である。因みに本減圧室を毎日２時間使用しても１ヶ月の電気料は僅か１５００円程度であるためランニングコストが極めて低いことも本発明の特徴の一つである。【００６５】  また、本発明の円筒横型減圧室では総重量が１０００ｋｇ、箱形減圧室では総重量が４００ｋｇと極めて軽量のため、トラックに積載して何時でも任意の場所に移動が可能であり、減圧室本体に車輪（図示せず）を取り付け自動車による牽引でも同様に任意の場所へ移動が可能となる。これに対してＡ社製減圧室は大型クレーンと大型トレーラーがなければ簡単に移動することはできず、設置する場合にも堅固な基礎工事を必要とし固定式減圧室というべきものである。よって、何時でもかつ任意の場所に移動することは不可能である。【００６６】  また、図２、図３及び図１７に示す本発明を適用した円筒横型減圧室では、該減圧室に透明塩ビ板１１製の複数の窓が装着されるため容器内に滞在しているという閉塞感を緩和することができる。さらにまた、該減圧室の外部から該透明塩ビ板１１の窓を透して減圧静養室滞在者の異常を発見し、及び又は減圧室滞在者が該減圧室の外部の異常を発見した場合に必要に応じて迅速に行動することができる。なお、図２６乃至図２８に示す箱形減圧室においても、円筒横型減圧室と同様に透明塩ビ板の窓を装着した機能によってなるため詳細説明は割愛する。【００６７】  また、図５に示す本発明を適用した円筒横型減圧室の実施例では、筐体２の内側部分にゴムシート（図示せず）を張り付けて制振及び防音効果を得る構造によってなる。またさらに、筐体２と内装材２３との間及び又は筐体２と床板２０との間には保温断熱材２２が挿入され保温断熱効果を得る構造によってなる。なお、図２６乃至図２８に示す箱形減圧室でも、同様にゴムシートを張り付けて制振及び防音効果を得る構造によってなることを特徴とする。【００６８】  また、図６に示す本発明を適用した円筒横型減圧室では、減圧室１の筐体２及び又は鏡板４に配される通気口５０乃至５４は活性炭フィルター６１と連結するＨＥＰＡフィルター６２と配管で接続されており、該減圧室１に吸入される外気はすべて該フィルターを通過する構造によってなる。活性炭フィルター６１にはクラレコールＧＧを用い住宅内装材から発生するホルマリンガス等殆どの有機性ガスを吸着せしめることができベーパーフリー環境を達成した。またＨＥＰＡフィルター６２は日本無機（株）製アトモスパーフェクトフィルターＡＴＭ−２２−Ｐ−Ｅを使用し０．３μｍ単分散ＤＯＰテストで９９．９７％以上捕集可能としているため、ハウスダスト、杉及びセイタカアワダチソウ等の花粉、ディーゼルエンジンから排出される粒子状物質等日常生活の上の殆どあらゆる塵埃除去を可能にした。なお、図２６乃至図２８に示す箱形減圧室でも、円筒横型減圧室と同様の配管系統図によってなるので詳細説明は割愛する。【００６９】  また、本発明を適用した減圧室では、該減圧室滞在者の快適性及び利便性に資するためエアコンディショナー、電気ポ���ト、冷蔵庫、プラズマディスプレイテレビ、ステレオサラウンドシステム、ソファ、ミニバーカウンター、書棚、マッサージチェア、ベッド等の家具調度品並びに床暖房装置、堀炬燵或いはシート及び背もたれ部分にヒーター内蔵のベンチシートを備えることができる。そのうち実施例ではエアコンディショナー、電気ポット、プラズマディスプレイテレビ、ステレオサラウンドシステム、ソファ、書棚並びに床暖房装置等（図示せず）を備えることによって該減圧室滞在者は快適かつ便利に減圧環境を楽しむことを可能とした。【００７０】【発明の効果】  以上の如く本発明によれば、スポーツ或いは疾病治療のような特定の分野だけではなく、日常的に運動しない人も含めて広く一般の人が、高地トレーニングを行ったり、高地に滞在したりせずに、時間を選ばずいつでも、場所を選ばずどこでも或いは移動中でも、特定の人だけでなく誰にでも、操作が極めて簡単でかつ停電等の異常発生時にも安全に、滞在すること自体が快適かつ便利に、しかも誰でも購入できるよう極めて安価に、高地気圧環境を現出するための減圧室を利用せしめることを可能とした。【００７１】  また本発明の減圧室を使用して、該減圧室にヒトが滞在することによる酸素解離効果を検証した結果を表１に示す。これによると、酸素濃度が減少しているにも関わらず心拍数の変化が極めて小さいことがわかる。これはヘモグロビンの酸素解離特性の向上即ち低酸素順化によりヒトが環境順応していることを示すものである。【表１】2004202156.tif 000001
【００７２】  また、本発明の減圧室を使用して、該減圧室にヒトが滞在することによる冷え症改善効果を測定した結果を表２に示す。ヒトの口中温度と掌中温度を測定すると、冷え症であることを自覚しているヒトは該減圧室に入室する前の口中温度に対して掌中温度が３乃至４℃程度低いことがわかる。これを減圧室に入室して高度４０００ｍ相当の気圧まで減圧したところで同様に口中温度と掌中温度を測定してみるといずれの温度も上昇傾向にありかつ口中温度と掌中温度の差が縮まっていることがわかる。これは上述のようにヘモグロビンの酸素解離特性が向上したことに加え微細であるが極めて柔軟な末梢血管が膨張し血行を改善していることを示すものである。【表２】2004202156.tif 000002
【００７３】  本発明の減圧室を使用して、該減圧室にヒトが滞在することによる造血機能・肝機能効果を検証した結果を表３に示す。これによると、個人差はあるものの減圧室に長期間にわたり入室を繰り返すと血色素量、赤血球数いずれも増加する傾向にあることがわかる。また、肝機能を示すγ−ＧＴＰについては減少傾向にあり肝機能が改善されていることを示すものである。【表３】2004202156.tif 000003
【００７４】  また本発明の実施例に示す減圧室を使用して、該減圧室にヒトが滞在することによる運動能力改善効果を測定した結果を表４に示す。該減圧室に入室する前と該減圧室に入室した後で運動した場合の一定距離ジョギングの所要時間を測定したところ、入室する前にジョギングした場合と入室した後にジョギングした場合とでは後者のほうが約３％程度もタイムが短縮した。【表４】2004202156.tif 000004
【００７５】  また本発明の減圧室を使用して、該減圧室にヒトが滞在することによる体温上昇とダイエット効果を測定した結果を表５に示す。これによると減圧と常圧とを３回繰り返すと発汗するほど体温上昇が起こり長期間繰り返すことによってダイエット可能であることを示すものである。減圧と常圧を３回繰り返した場合の効果を測定した条件：高度４０００ｍ相当３ｈｒ／ｄａｙ×１ｍｏｎｔｈ滞在【表５】2004202156.tif 000005
【００７６】  また本発明の減圧室を使用すると、上述の効果の他にも末梢神経機能改善効果、眼内充血症改善効果、肥満症改善効果、アトピー症改善効果、アルコール中毒症改善効果、毛髪活性効果、全身活性効果、気持ちの高揚効果、ペットの健康増進効果、高山植物の栽培効果等々いろいろな効果があり本発明は極めて有用である。【手続補正３】
【補正対象書類名】明細書
【補正対象項目名】図面の簡単な説明
【補正方法】変更
【補正の内容】
【図面の簡単な説明】【図１】は、本発明の円筒横型減圧室の構成を説明する立面断面図である。【図２】は、本発明の円筒横型減圧室の構成を説明する右側面図である。【図３】は、本発明の円筒横型減圧室の構成を説明する左側面図である。【図４】は、本発明の円筒横型減圧室の構成を説明する平面図である。【図５】は、本発明の円筒横型減圧室の構成を説明する部分断面図である。【図６】は、本発明の円筒横型減圧室の構成を説明する配管系統図である。【図７】は、本発明の円筒横型減圧室の構造を説明する断面構造図である。【図８】は、本発明の円筒横型減圧室の構造を説明する側面構造図である。【図９】は、本発明の円筒横型減圧室の構造を説明する部分拡大図である。【図１０】は、本発明の円筒横型減圧室の構成を説明する立面断面図である。【図１１】は、本発明の円筒横型減圧室の構成を説明する右側面図である。【図１２】は、本発明の円筒横型減圧室の構成を説明する左側面図である。【図１３】は、本発明の円筒横型減圧室の構成を説明する平面図である。【図１４】は、本発明の円筒横型減圧室の構成を説明する配管系統図である。【図１５】は、Ａ社製の円筒横型減圧室の構造を説明する断面構造図である。【図１６】は、一般的な減圧室の窓部構造を説明する図である。【図１７】は、本発明の減圧室の窓部構造を説明する図である。【図１８】は、本発明の減圧室の安全機構を説明する図である。【図１９】は、図１８の機構に関する空気圧回路図である。【図２０】は、本発明の減圧室の安全機構を説明する図である。【図２１】は、図２０の機構に関する空気圧回路図である。【図２２】は、本発明の減圧室の安全機構を説明する図である。【図２３】は、本発明の減圧室の安全機構を説明する図である。【図２４】は、本発明の減圧室の安全機構を説明する図である。【図２５】は、図２４の安全機構に関する空気圧回路図である。【図２６】は、本発明の箱形減圧室の構成を説明する立面断面図及び配管系統図である。【図２７】は、本発明の箱形減圧室の構成を説明する右側面図である。【図２８】は、本発明の箱形減圧室の構成を説明する平面図である。【符号の説明】１    減圧室                      ２    筐体３    筐体リブ                    ４    鏡板５    鏡板リブ                    ６    鏡板開口部７    気密扉                      ８    パッキン９    スペーサー                  １０  気密扉開口部１１  透明塩ビ板                  １２  額縁１３  液状封止剤                  １４  六角ボルト１５  エアシリンダー              １６  取付金具１７  通気口蓋                    １８  パッキン１９  ロックナット                ２０  床板２１  床板支持材                  ２２  保温断熱材２３  内装材                      ２４  筐体支持材２５  架台                        ２６  ステップ２７  ステップ                    ２８  エアシリンダー２９  連結金具                    ３０  スライドレール３１  スライドガイド              ３２  蝶番３３  蝶番                        ３４  取付金具３５  エアシリンダー              ３６  取付金具３７  押し金具                    ３８  ロックナット３９  ファスナー                  ４０  受け金具４１  取付金具                    ４２  コイルバネ４３  取付金具                    ４４  補強板４５  補強金具                    ４６  減圧ポンプ４７  ポンプ吸入口                ４８  ポンプ排気口４９  減圧室通気口                ５０  減圧室通気口５１  減圧室通気口                ５２  減圧室通気口５３  減圧室通気口                ５４  減圧室通気口５５  手動圧力調整弁              ５６  圧力センサー５７  自動圧力調整弁              ５８  自動過減圧防止弁５９  室内非常弁                  ６０  室外非常弁６１  活性炭フィルター            ６２  ＨＥＰＡフィルター６３  フィルター通気口            ６４  フィルター通気口６５  フィルター通気口            ６６  フィルター通気口６７  フィルター通気口            ６８  フード６９  予備フィルター              ７０  エアフィルター７１  レギュレーター              ７２  ルブリケーター７３  方向切換弁                  ７４  方向切換弁７５  方向切換弁                  ７６  洗面台７７  簡易トイレ                  ７８  予備的圧力調整室７９  筐体                        ８０  筐体リブ８１  仕切板                      ８２  仕切板リブ８３  仕切板開口部                ８４  気密扉８５  パッキン                    ８６  スペーサー８７  気密扉開口部                ８８  透明塩ビ板８９  額縁                        ９０  液状封止剤９１  六角ボルト                  ９２  エアシリンダー９３  取付金具                    ９４  通気口蓋９５  パッキン                    ９６  ロックナット９７  床板                        ９８  床板支持材９９  保温断熱材                  １００  内装材１０１  筐体支持材                １０２  架台１０３  カーテン                  １０４  化粧用鏡１０５  空調屋外機                １０６  空調室内機１０７  空調配管                  １０８  ドレン配管１０９  減圧ポンプ                １１０  ポンプ吸入口１１１  ポンプ排気口              １１２  減圧室通気口１１３  減圧室通気口              １１４  減圧室通気口１１５  減圧室通気口              １１６  減圧室通気口１１７  減圧室通気口              １１８  手動圧力調整弁１１９  圧力センサー              １２０  自動圧力調整弁１２１  自動過減圧防止弁          １２２  室内非常弁１２３  室外非常弁                １２４  活性炭フィルター１２５  ＨＥＰＡフィルター        １２６  フィルター通気口１２７  フィルター通気口          １２８  フィルター通気口１２９  フィルター通気口          １３０  フィルター通気口１３１  フード                    １３２  予備フィルター１３３  主室                      １３４  副室１３５  筐体                      １３６  鏡板１３７  鏡板                      １３８  隔壁１３９  隔壁                      １４０  補強材１４１  気密扉                    １４２  気密扉１４３  気密扉                    １４４  気密扉１４５  扉用額縁                  １４６  扉用額縁１４７  補強フランジ              １４８  Ｏリング１４９  ガラス板                  １５０  緩衝材１５１  フランジ                  １５２  六角ボルト１５３  鏡板                      １５４  鏡板開口部１５５  気密扉                    １５６  減圧室１５７  基本筐体                  １５８  延長用筐体１５９  気密扉                    １６０  減圧ポンプ１６１  ポンプ吸入口              １６２  ポンプ排気口１６３  減圧室通気口              １６４  減圧室通気口１６５  減圧室通気口              １６６  減圧室通気口１６７  減圧室���気口              １６８  減圧室通気口１６９  手動圧力調整弁            １７０  圧力センサー１７１  自動圧力調整弁            １７２  自動過減圧防止弁１７３  室内非常弁                １７４  室外非常弁１７５  活性炭フィルター          １７６  ＨＥＰＡフィルター１７７  フィルター通気口          １７８  フィルター通気口１７９  フィルター通気口          １８０  フィルター通気口１８１  フィルター通気口          １８２  パッキン１８３  パッキン                  １８４  リブ【手続補正４】
【補正対象書類名】図面
【補正対象項目名】全図
【補正方法】変更
【補正の内容】
【図１】
2004202156.tif 000006
【図２】
2004202156.tif 000007
【図３】
2004202156.tif 000008
【図４】
2004202156.tif 000009
【図５】
2004202156.tif 000010
【図６】
2004202156.tif 000011
【図７】
2004202156.tif 000012
【図８】
2004202156.tif 000013
【図９】
2004202156.tif 000014
【図１０】
2004202156.tif 000015
【図１１】
2004202156.tif 000016
【図１２】
2004202156.tif 000017
【図１３】
2004202156.tif 000018
【図１４】
2004202156.tif 000019
【図１５】
2004202156.tif 000020
【図１６】
2004202156.tif 000021
【図１７】
2004202156.tif 000022
【図１８】
2004202156.tif 000023
【図１９】
2004202156.tif 000024
【図２０】
2004202156.tif 000025
【図２１】
2004202156.tif 000026
【図２２】
2004202156.tif 000027
【図２３】
2004202156.tif 000028
【図２４】
2004202156.tif 000029
【図２５】
2004202156.tif 000030
【図２６】
2004202156.tif 000031
【図２７】
2004202156.tif 000032
【図２８】
2004202156.tif 000033